(57)【要約】【課題】椅子のアームレストに連結されていて人の操作によりアームレストの間に掛け渡すことができるテーブル板を、必要に応じてそのアームレストから着脱できるようにし、補助的なテーブルの有無を自由に選択できる椅子を得る。【解決手段】テーブル板の裏面に固定される取付板２とアームレストに係脱可能にしてかつアームレストの周方向に回転可能に係止する係止体３とを備え、取付板２には、テーブル板への取付面側の孔径が、取付面とは反対となる対向面側の孔径より大径とされた支持孔４が設けられ、支持孔４に回転自在に支持される回転板が取付板２と同厚にしてこの取付板２と面一とされているとともに、回転板５は開口を有し、該開口に、取付板２と同厚とした係止体３が起伏可能に支持され、係止体３が開口に伏したときに係止体３が回転板５と面一となる構成を備えている。【選択図】図１
0003155913.tif 000002
【実用新案登録請求の範囲】
【請求項１】
椅子の丸棒状のアームレストとこのアームレースの間に掛け渡しできる長さを有したテーブル板とを連結する装置であって、
前記テーブル板の裏面に固定される取付板と前記アームレストに係脱可能にしてかつアームレストの周方向に回転可能に係止する係止体とを備えていて、前記取付板には該取付板を貫通した円孔であって、前記テーブル板への取付面側の孔径が、前記取付面とは反対となる対向面側の孔径より大径とされた支持孔が設けられ、前記支持孔に回転自在に支持される回転板が取付板と同厚にしてこの取付板と面一とされているとともに、前記回転板は開口を有し、該開口に、取付板と同厚とした前記係止体が起伏可能に支持され、前記支持体が開口に伏したときに係止体が回転板と面一となる構成を備えていることを特徴とする椅子とテーブル板との連結装置。
【請求項２】
上記回転板と係止体とは合成樹脂成形材料から成形されていて、回転板の上記開口の辺にセルフヒンジを介して係止体が連結されている請求項１に記載の椅子とテーブル板との連結装置。
【請求項３】
突出端を大径部とした丸棒状のアームレストをパイプからなるアームレストカバーに引き出し可能に格納して、前記丸棒状のアームレストの出し入れにより伸縮する左右の腕置き部を備え、この腕置き部それぞれのアームレストカバーに丸棒状のアームレストを格納したときにアームレストカバーの先端にアームレストの前記大径部が突き当て可能に設けられている椅子であって、
前記丸棒状のアームレストに掛け止めた請求項１または２の連結装置における係止体を、前記アームレストカバーの先端とこのアームレストカバーに格納したアームレストの大径部とで挟み込み保持することを特徴とする椅子。
【考案の詳細な説明】
【技術分野】
【０００１】
本考案は、丸棒状の一対のアームレストを有した椅子にそのアームレストの間に掛け渡すテーブル板を取り付けるために用いる連結装置、およびこの連結装置を介してテーブル板を有する椅子に関するものである。
【背景技術】
【０００２】
従来から、椅子のアームレストにテーブル板を取り付けて、着座した人がメモを取るなどの軽作業が行えるようにしたり、食器類を乗せて食事を採ることができるようにした工夫がある。たとえば、特許文献１には、板裏に伸張できる脚を配したテーブル板を一方のアームレストに設けていて、そのアームレストの長手方向に沿った方向を回転中心として回動可能にしてテーブル板を連結した椅子が示されており、また、特許文献２〜５に、ピボットや多軸の回転軸を介してアームレストの脇に垂れるように配されているテーブル板を、着座した人の膝上やアームレストの間に掛け渡るように引き出す工夫も提案されている。
【先行技術文献】
【特許文献】
【０００３】
【特許文献１】特開平１０−２６２７３９号公報
【特許文献２】特開平０９−１２１９７８号公報
【特許文献３】特許第３０３６２９４号公報
【特許文献４】特開２００２−２０９６７０号公報
【特許文献５】特開２００７−０６８８２６号公報
【考案の概要】
【考案が解決しようとする課題】
【０００４】
しかしながら、椅子のアームレストとテーブル板とを連結してテーブル板をアームレストの間に掛け渡す位置となる箇所までに移動できるようにした従来機構では、連結構造が複雑となって椅子の価格を引き上げかねず、更にはテーブル板をアームレストから外すことができないという大きな問題がある。
そこで、本考案は上記事情に鑑み、椅子のアームレストに連結されていて人の操作によりアームレストの間に掛け渡すことができるテーブル板を、必要に応じてそのアームレストから着脱できるようにすることを課題とし、補助的なテーブルの有無を自由に選択できる椅子を提供することを目的とするものである。
【課題を解決するための手段】
【０００５】
本考案は上記課題を考慮してなされたもので、椅子の丸棒状のアームレストとこのアームレースの間に掛け渡しできる長さを有したテーブル板とを連結する装置であって、前記テーブル板の裏面に固定される取付板と前記アームレストに係脱可能にしてかつアームレストの周方向に回転可能に係止する係止体とを備えていて、前記取付板には該取付板を貫通した円孔であって、前記テーブル板への取付面側の孔径が、前記取付面とは反対となる対向面側の孔径より大径とされた支持孔が設けられ、前記支持孔に回転自在に支持される回転板が取付板と同厚にしてこの取付板と面一とされているとともに、前記回転板は開口を有し、該開口に、取付板と同厚とした前記係止体が起伏可能に支持され、前記支持体が開口に伏したときに係止体が回転板と面一となる構成を備えていることを特徴とする椅子とテーブルとの連結装置を提供して、上記課題を解消するものである。
【０００６】
そして、本考案において、上記回転板と係止体とは合成樹脂成形材料から成形されていて、回転板の上記開口の辺にセルフヒンジを介して係止体が連結されているものとすることが良好である。
【０００７】
また、もう一つの考案は、突出端を大径部とした丸棒状のアームレストをパイプからなるアームレストカバーに引き出し可能に格納して、前記丸棒状のアームレストの出し入れにより伸縮する左右の腕置き部を備え、腕置き部それぞれのアームレストカバーに丸棒状のアームレストを格納したときにアームレストカバーの先端にアームレストの前記大径部が突き当て可能に設けられている椅子であって、前記丸棒状のアームレストに掛け止めた請求項１または２の連結装置における係止体を、前記アームレストカバーの先端とこのアームレストカバーに格納したアームレストの大径部とで挟み込み保持することを特徴とする椅子であり、この椅子を提供して上記課題を解消するものである。
【考案の効果】
【０００８】
本考案の連結装置によれば、テーブル板に固定する取付板に回転可能に支持された回転板に、アームレストに取り付けるための係止体が起伏可能に設けられているという簡易な構成となるため、連結装置自体が安価に作成できて、椅子の価格を引き上げることがない。さらに、係止体がアームレストに対して着脱可能であるため、テーブル板を使用しない場合にこれを取り外して、ごく普通の椅子として使用することができる。また、本考案の椅子によれば、腕置き部それぞれが丸棒状のアームレストを備えているため、使用者の好む腕置き部側にテーブル板を連結配置させることが簡単に行えるという優れた効果を奏するものである。
【考案を実施するための形態】
【０００９】
つぎに本考案を図１から図１２に示す実施の形態に基づいて詳細に説明する。
図中１は、図１１と図１２に示すように椅子８の丸棒状のアームレスト９とこのアームレース９の間に掛け渡しできる長さを有したテーブル板ａとを連結する連結装置であって、椅子８のアームレスト９の間に掛け渡すテーブル板ａを一方のアームレスト９にこの連結装置１を介して連結して他方のアームレスト９に乗せ置いて使用することができる椅子８が得られるようにするための連結装置である。
【００１０】
連結装置１は、図４に示すように上記テーブル板ａの裏面ｂにおける一端側にこの裏面ｂと面一になるようにして公知の方法によりそのテーブル板ａに取付固定される取付板２と、この連結装置１の中央部分で起伏可能に設けられていてテーブル板ａの裏面ｂに対して直角となる角度まで起こすことのできる係止体３とを備えている。そして、前記取付板２は、貫通する円孔である支持孔４が中央に配置されている。支持孔４には円板状として取付板２と同厚の回転板５が回転自在に配置されていて、テーブル板ａに取付固定した取付孔２の前記支持孔４で回転板５が取付板２と面一の状態で回転可能としながら、この支持孔４から回転板５が抜け出ることのないように、支持孔４が回転板５を支えている。
【００１１】
具体的には、支持孔４のテーブル板ａへの取付面２ａ側の孔径が、取付面２ａとは反対となる対向面２ｂ（テーブル板の裏面と面一となっている面）側の孔径より大径となるようにしていて、図示の実施の形態にあっては支持孔４の内周面４ａが傾斜しているとともに、傾斜した内周面４ａに対応するように回転板５の外周面５ａも傾斜していて、支持孔４の内周面４ａと回転板５の外周面５ａとが摺接可能の状態で接し合っている。なお、支持孔４から回転板５が抜け出ることがないようにしながら支持孔４で回転板５が回転すればよいものであることから、接し合っている支持孔４の内周面４ａと回転板５の外周面５ａとは傾斜するものに限定されず、図３に示すように、支持孔４の内周面４ａの形状を段状とするとともに、回転板５の外周面５ａも対応するように段状とした形状としてもよい。
【００１２】
上記係止体３は上述した回転板５に設けられていて、例えば図１、２と図４、５とに示すように、この回転板５の中央に形成された開口６に、回転板５と同厚にして略Ｃ字状とした係止体５が起伏可能に配されている。係止体５は前記開口６の一辺にセルフヒンジ７を介して連結されており、セルフヒンジ７を回転の中心として係止体５を開口６内に倒すことで開口６に格納されて回転板５と面一になり（図３参照）、また、引き起こすことでテーブル板ａの裏面ｂに対して直角となる角度まで起きるように設けられている（図５参照）。このように、係止体３と回転板５とがセルフヒンジ７を介して連結してそのセルフヒンジ７を中心として前記係止体３が起伏する構成とするには、係止体３と回転板５とを合成樹脂製材料にて一体に成形すればよい。さらに回転板５を支持する取付板２にあっても合成樹脂成形されたものであってもよい。
【００１３】
上記係止体３は、開放側の端部間が拡開する弾性を備えていて、その開放側の端部間の開きによって椅子８のアームレスト９に係脱可能となっている。さらに、その係止体３の略Ｃ字状の咥え部３ａは内周形状が、この咥え部３ａが掛けるアームレスト９の断面形状に対応していてそのアームレスト９の周方向に回転可能に係止する。勿論、係止体３がアームレスト９に掛け止められた後において、このアームレスト９の長手に沿って係止体３は移動可能である。
【００１４】
上述したように、係止体３は開放側の端部間の開きによってアームレスト９に着脱自在とされているが、係止体３の掛け止め操作や取り外し操作を行ない易いように、アームレスト９に図７に示すように装着溝１０を設けるようにしてもよい。
【００１５】
上記連結装置１を取り付けたテーブル板ａを有する椅子８にあっては、上記丸棒状のアームレスト９をパイプからなるアームレストカバー１１に引き出し可能に格納して、丸棒状のアームレスト９の出し入れにより伸縮する左右の腕置き部１２を備えていて、前記丸棒状のアームレスト９は先端側を大径部１３としており、この腕置き部１２それぞれの丸棒状のアームレスト９を格納したときにアームレストカバー１１の先端に前記アームレスト９の大径部１３が突き当て可能に設けられている。アームレスト９が引き込まれている状態を図９に示した。
【００１６】
椅子８にテーブル板ａを組み付けるときには、腕置き部１２のアームレスト９を一旦引き出し、前記連結装置１の係止体３を上記装着溝１０の位置に差し入れるようにしてアームレスト９の先端側に移動させて掛け止め（図７）、そして、再びアームレスト９をアームレストカバー１１に押し入れて、係止体３の咥え部３ａをアームレスト９の大径部１３とアームレストカバー１１の先端部１４とで挟み込み保持する。これによって椅子８側で係止体３を確実に保持し、図１０に示すようにアームレスト９にこの連結装置１を介してテーブル板ａを椅子８の横で縦向きにして配置することができる。
【００１７】
この後、図１１と図１２に示すように、係止体３のアームレスト９の周方向への回転と回転板５の取付板２に対する回転とを行なう操作をして、テーブル板ａを両方のアームレスト９の間に掛け渡すことができるようになる。なお、テーブル板ａにおいて、テーブル板ａを掛け渡したときの他方のアームレスト９と対応する部分には凹溝１５が設けられており、他方のアームレスト９の引き出されて位置する大径部１３の一部分が入り込んで、テーブル板ａの滑りを抑え、他方のアームレスト９が引き出されている腕置き部１２と大径部１３との二点に乗ってテーブル板ａが安定するように図れている。
【図面の簡単な説明】
【００１８】
【図１】本考案に係る椅子とテーブル板との連結装置の一実施例を示すもので、（ａ）は取付面とは反対側の対向面側を示す説明図、（ｂ）は（ａ）Ｘ−Ｘ線に沿った断面を示す説明図、（ｃ）は（ａ）Ｙ−Y線に沿った断面を示す説明図である。
【図２】一実施例の取付面側を示す説明図である。
【図３】支持孔の周面の断面形状と回転板の周面の断面形状との変更例を示すもので、図１（ａ）Ｘ−Ｘ線と同部での断面を示す説明図である。
【図４】一実施例をテーブル板に取り付けた状態を示す説明図である。
【図５】同じく一実施例がテーブル板に取り付けられて係止体を引き起こした状態を示す説明図である。
【図６】アームレストに装着溝が設けられている例を示す説明図である。
【図７】一実施例における係止体をアームレストに掛け止めた状態を示す説明図である。
【図８】アームレストを格納した状態を示す説明図である。
【図９】アームレストを格納している椅子を示す説明図である。
【図１０】一方のアームレストを伸長してテーブル板を取り付けた状態を示す説明図である。
【図１１】取り付けたテーブル板を引き起こした状態を示す説明図である。
【図１２】テーブル板をアームレストに掛け渡した状態を示す説明図である。
【符号の説明】
【００１９】
１…連結装置
２…取付板
２ａ…取付板のテーブル板側の取付面
２ｂ…取付面に対する対向面
３…係止体
３ａ…咥え部
４…支持孔
５…回転板
６…開口
７…セルフヒンジ
８…椅子
９…アームレスト
１０…装着溝
１２…腕置き部
１３…大径部
１４…アームレストカバーの先端部
ａ…テーブル板
【図１】
0003155913.tif 000003
【図２】
0003155913.tif 000004
【図３】
0003155913.tif 000005
【図４】
0003155913.tif 000006
【図５】
0003155913.tif 000007
【図６】
0003155913.tif 000008
【図７】
0003155913.tif 000009
【図８】
0003155913.tif 000010
【図９】
0003155913.tif 000011
【図１０】
0003155913.tif 000012
【図１１】
0003155913.tif 000013
【図１２】
0003155913.tif 000014
【手続補正書】
【提出日】平成21年10月1日(2009.10.1)
【手続補正１】
【補正対象書類名】実用新案登録請求の範囲
【補正対象項目名】全文
【補正方法】変更
【補正の内容】
【実用新案登録請求の範囲】
【請求項１】
椅子の丸棒状のアームレストとこのアームレストの間に掛け渡しできる長さを有したテーブル板とを連結する装置であって、
前記テーブル板の裏面に固定される取付板と前記アームレストに係脱可能にしてかつアームレストの周方向に回転可能に係止する係止体とを備えていて、前記取付板には該取付板を貫通した円孔であって、前記テーブル板への取付面側の孔径が、前記取付面とは反対となる対向面側の孔径より大径とされた支持孔が設けられ、前記支持孔に回転自在に支持される回転板が取付板と同厚にしてこの取付板と面一とされているとともに、前記回転板は開口を有し、該開口に、取付板と同厚とした前記係止体が起伏可能に支持され、前記支持体が開口に伏したときに係止体が回転板と面一となる構成を備えていることを特徴とする椅子とテーブル板との連結装置。
【請求項２】
上記回転板と係止体とは合成樹脂成形材料から成形されていて、回転板の上記開口の辺にセルフヒンジを介して係止体が連結されている請求項１に記載の椅子とテーブル板との連結装置。
【請求項３】
突出端を大径部とした丸棒状のアームレストをパイプからなるアームレストカバーに引き出し可能に格納して、前記丸棒状のアームレストの出し入れにより伸縮する左右の腕置き部を備え、この腕置き部それぞれのアームレストカバーに丸棒状のアームレストを格納したときにアームレストカバーの先端にアームレストの前記大径部が突き当て可能に設けられている椅子であって、
前記丸棒状のアームレストに掛け止めた請求項１または２の連結装置を、前記アームレストカバーの先端とこのアームレストカバーに格納したアームレストの大径部とで挟み込み保持することを特徴とする椅子。
【手続補正２】
【補正対象書類名】明細書
【補正対象項目名】０００５
【補正方法】変更
【補正の内容】
【０００５】
本考案は上記課題を考慮してなされたもので、椅子の丸棒状のアームレストとこのアームレストの間に掛け渡しできる長さを有したテーブル板とを連結する装置であって、前記テーブル板の裏面に固定される取付板と前記アームレストに係脱可能にしてかつアームレストの周方向に回転可能に係止する係止体とを備えていて、前記取付板には該取付板を貫通した円孔であって、前記テーブル板への取付面側の孔径が、前記取付面とは反対となる対向面側の孔径より大径とされた支持孔が設けられ、前記支持孔に回転自在に支持される回転板が取付板と同厚にしてこの取付板と面一とされているとともに、前記回転板は開口を有し、該開口に、取付板と同厚とした前記係止体が起伏可能に支持され、前記支持体が開口に伏したときに係止体が回転板と面一となる構成を備えていることを特徴とする椅子とテーブルとの連結装置を提供して、上記課題を解消するものである。
【手続補正３】
【補正対象書類名】明細書
【補正対象項目名】０００７
【補正方法】変更
【補正の内容】
【０００７】
また、もう一つの考案は、突出端を大径部とした丸棒状のアームレストをパイプからなるアームレストカバーに引き出し可能に格納して、前記丸棒状のアームレストの出し入れにより伸縮する左右の腕置き部を備え、腕置き部それぞれのアームレストカバーに丸棒状のアームレストを格納したときにアームレストカバーの先端にアームレストの前記大径部が突き当て可能に設けられている椅子であって、前記丸棒状のアームレストに掛け止めた請求項１または２の連結装置を、前記アームレストカバーの先端とこのアームレストカバーに格納したアームレストの大径部とで挟み込み保持することを特徴とする椅子であり、この椅子を提供して上記課題を解消するものである。